【手続補正書】
【提出日】平成27年7月8日(2015.7.8)
【手続補正１】
【補正対象書類名】特許請求の範囲
【補正対象項目名】全文
【補正方法】変更
【補正の内容】
【特許請求の範囲】
【請求項１】
会員端末から第１種類のデータがサーバーにアップロードされ、前記第１種類のデータ及び前記第１種類のデータに関連し、前記第１種類のデータとは異なる第２種類のデータが会員間で閲覧可能に公開されるネットワーク・サービスシステムにおいて、
前記端末は、
表示部と、
第１の方向への画面送り操作と、該第１の方向と交差する第２の方向への画面送り操作とを検出する検出手段と、
前記表示部に前記第１種類のデータとして前記会員のプロフィール画像が表示されている状態で、該検出手段が前記第１の方向への画面送り操作を検出すると、前記表示部に他の会員のプロフィール画像を順次切り替え表示していき、該検出手段が前記第２の方向への画面送り操作を検出すると、そのとき前記プロフィール画像が表示されている会員に属する画像を前記第２種類のデータとして順次切り替え表示させていく表示制御手段と、
を備えることを特徴とするネットワーク・サービスシステム。
【請求項２】
前記端末は、前記サーバーにネットワークを介して接続される第１の端末と、該第１の端末と通信で接続される腕に装着可能な第２の端末とを含み、前記第２の端末は前記第１の端末を介して前記サーバーに接続されることを特徴とする請求項１記載のネットワーク・サービスシステム。
【請求項３】
会員端末から第１種類のデータがサーバーにアップロードされ、前記第１種類のデータ及び前記第１種類のデータに関連し、前記第１種類とは異なる第２種類のデータが会員間で閲覧可能に公開されるネットワーク・サービスシステムの表示部を備えた端末において、
第１の方向への画面送り操作と、該第１の方向と交差する第２の方向への画面送り操作とを検出する検出手段と、
該検出手段が前記第１の方向への画面送り操作を検出すると、前記表示部に前記第１種類のデータを順次切り替え表示していき、前記第２の方向への画面送り操作を検出すると、前記第２種類のデータを順次切り替え表示していく表示制御手段と、
を備え、
前記表示制御手段は、
前記表示部に前記第１種類のデータとして前記会員のプロフィール画像が表示されている状態で、
該検出手段が前記第１の方向への画面送り操作を検出すると、前記表示部に他の会員のプロフィール画像を順次切り替え表示していき、
該検出手段が前記第２の方向への画面送り操作を検出すると、そのとき前記プロフィール画像が表示されている会員に属する画像を前記第２種類のデータとして順次切り替え表示させていくことを特徴とする端末。
【請求項４】
前記画面送り操作は、当該端末を振る動作であり、
前記検出手段は、前記振り方向を検出することを特徴とする請求項３記載の端末。
【請求項５】
前記画面送り操作は、当該端末を傾ける動作であり、
前記検出手段は、当該端末の傾きを検出することを特徴とする請求項３記載の端末。
【請求項６】
前記画面送り操作は、前記表示部の画面を指で払う動作であり、
前記検出手段は、前記指の払い方向を検出することを特徴とする請求項３載の端末。
【請求項７】
前記第１の方向及び第２の方向は、前記表示部の画面の縦方向と横方向であることを特徴とする請求項６記載の端末。
【請求項８】
前記第１の方向及び第２の方向は、前記表示部の画面の中心縦軸線又は中心横軸線を斜めに横切る方向であることを特徴とする請求項６記載の端末。
【請求項９】
前記端末は、前記サーバーにネットワークを介して接続される第１の端末と、該第１の端末と通信で接続される腕に装着可能な第２の端末とを含み、前記第２の端末は前記第１の端末を介して前記サーバーに接続されることを特徴とする請求項３記載の端末。
【請求項１０】
前記プロフィール画像が表示されている会員に属する前記第２種類のデータは、絵画変換された画像であることを特徴とする請求項３乃至９いずれかに記載の端末。
【請求項１１】
会員端末からオリジナル画像である第１種類のデータをサーバーにアップロードするとともに、前記第１種類のデータ及び当該第１種類のデータを絵画変換した第２種類のデータを会員間で閲覧可能にネットワーク上に公開するネットワーク・サービスシステムの表示部を備えた端末において、
第１の方向への画面送り操作と、該第１の方向と交差する第２の方向への画面送り操作とを検出する検出手段と、
前記表示部に前記第１種類のデータとして前記オリジナル画像が表示されている状態で、前記検出手段が前記第１の方向への画面送り操作を検出すると、前記表示部に前記第１種類のデータを順次切り替え表示していき、前記オリジナル画像が表示されている状態で、前記第２の方向への画面送り操作を検出すると、そのとき表示されている前記オリジナル画像データが絵画変換された画像データを前記第２種類のデータとして順次切り替え表示していく表示制御手段と、
を備えることを特徴とする端末。
【請求項１２】
会員の端末から第１種類のデータをサーバーにアップロードするとともに、前記第１種類のデータ及び当該第１種類のデータに関連し、当該第１種類とは異なる第２種類のデータを会員間で閲覧可能に公開するネットワーク・サービスシステムにおける表示部を備えた端末の表示方法であって、
第１の方向への画面送り操作と、該第１の方向と交差する第２の方向への画面送り操作とを検出する検出ステップと、
該検出ステップで前記第１の方向への画面送り操作を検出すると、前記表示部に前記第１データを順次切り替え表示していき、前記第２の方向への画面送り操作を検出すると、前記第２データを順次切り替え表示していく表示制御ステップと、
を含み、
前記表示制御ステップは、
前記表示部に前記第１種類のデータとして前記会員のプロフィール画像が表示されている状態で、該検出手段が前記第１の方向への画面送り操作を検出すると、前記表示部に他の会員のプロフィール画像を順次切り替え表示させていき、該検出手段が前記第２の方向への画面送り操作を検出すると、そのとき前記プロフィール画像が表示されている会員に属する画像を前記第２種類のデータとして順次切り替え表示させていく表示方法。
【請求項１３】
会員の端末から第１種類のデータをサーバーにアップロードするとともに、前記第１種類のデータ及び当該第１種類のデータに関連し、当該第１種類とは異なる種類の第２種類のデータを会員間で閲覧可能に公開するネットワーク・サービスシステムの画面を備えた端末のコンピュータを、
第１の方向への画面送り操作と、該第１の方向と交差する第２の方向への画面送り操作とを検出する検出手段と、
該検出手段が前記第１の方向への画面送り操作を検出すると、前記表示部に前記第１種類のデータを順次切り替え表示していき、前記第２の方向への画面送り操作を検出すると、前記第２種類のデータを順次切り替え表示していく表示制御手段と、して機能させ、
前記表示制御手段は、前記表示部に前記第１種類のデータとして前記会員のプロフィール画像が表示されている状態で、該検出手段が前記第１の方向への画面送り操作を検出すると、前記表示部に他の会員のプロフィール画像を順次切り替え表示していき、該検出手段が前記第２の方向への画面送り操作を検出すると、そのとき前記プロフィール画像が表示されている会員に属する画像を前記第２種類のデータとして順次切り替え表示させていくことを特徴とするプログラム。
【手続補正２】
【補正対象書類名】明細書
【補正対象項目名】発明の名称
【補正方法】変更
【補正の内容】
【発明の名称】ネットワーク・サービスシステム及び端末、表示方法、プログラム
【手続補正３】
【補正対象書類名】明細書
【補正対象項目名】０００１
【補正方法】変更
【補正の内容】
【０００１】
本発明は、ネットワーク・サービスシステム及び端末、表示方法、プログラムに関する。
【手続補正４】
【補正対象書類名】明細書
【補正対象項目名】０００９
【補正方法】変更
【補正の内容】
【０００９】
上記した課題を解決するために、本発明の第１の態様に係る発明は、  会員端末から第１種類のデータがサーバーにアップロードされ、前記第１種類のデータ及び前記第１種類のデータに関連し、前記第１種類のデータとは異なる第２種類のデータが会員間で閲覧可能に公開されるネットワーク・サービスシステムにおいて、前記端末は、表示部と、第１の方向への画面送り操作と、該第１の方向と交差する第２の方向への画面送り操作とを検出する検出手段と、前記表示部に前記第１種類のデータとして前記会員のプロフィール画像が表示されている状態で、該検出手段が前記第１の方向への画面送り操作を検出すると、前記表示部に他の会員のプロフィール画像を順次切り替え表示していき、該検出手段が前記第２の方向への画面送り操作を検出すると、そのとき前記プロフィール画像が表示されている会員に属する画像を前記第２種類のデータとして順次切り替え表示させていく表示制御手段と、を備えることを特徴とするネットワーク・サービスシステムである。本発明の他の態様は、本明細書、及び添付図面の記載により、明らかにする。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】